(57)【要約】【課題】従来の印刷データ作成装置では、入力された文字列を回転させることについては、考慮されていない。【解決手段】文字列の入力操作を受け付ける操作部と、入力された複数の文字列に対応する複数の文字列画像１１３をテープ１０３の長さ方向に対し回転させる回転角度を、文字列画像１１３ごとに設定し、文字列画像１１３が設定された回転角度に回転した態様でテープ１０３に印刷されるように、印刷データを生成する制御部とを備えた。制御部は、回転角度を、文字列画像１１３のサイズに応じて設定することが好ましい。【選択図】図６
2020004165.tif 000002
【特許請求の範囲】
【請求項１】
文字列の入力操作を受け付ける操作部と、
入力された複数の前記文字列に対応する複数の文字列画像をテープの長さ方向に対し回転させる回転角度を、前記文字列画像ごとに設定し、前記文字列画像が設定された前記回転角度に回転した態様で前記テープに印刷されるように、印刷データを生成する制御部と、
を備えたことを特徴とする印刷データ生成装置。
【請求項２】
前記制御部は、前記回転角度を、前記文字列画像のサイズに応じて設定することを特徴とする請求項１に記載の印刷データ生成装置。
【請求項３】
前記制御部は、回転した前記文字列画像の枠線が、前記テープの印刷領域の枠線と接しない範囲で、前記回転角度を設定することを特徴とする請求項１または２に記載の印刷データ生成装置。
【請求項４】
前記操作部は、前記文字列画像ごとに、ユーザーが所望する前記回転角度である所望角度の入力操作を受け付け、
前記制御部は、前記回転角度を、入力された前記所望角度に基づいて設定することを特徴とする請求項１に記載の印刷データ生成装置。
【請求項５】
前記文字列画像の外枠となる外枠画像をユーザーが選択可能な外枠選択肢を表示する表示部、を備え、
前記制御部は、前記回転角度を、選択された前記外枠選択肢に基づいて設定することを特徴とする請求項１に記載の印刷データ生成装置。
【請求項６】
前記文字列画像が印刷された前記テープをプレビュー表示する表示部、を備えたことを特徴とする請求項１ないし５のいずれか一項に記載の印刷データ生成装置。
【請求項７】
前記操作部は、プレビュー表示された前記テープにおいて前記文字列画像のレイアウトを変更する操作を受け付け、
前記制御部は、変更後のレイアウトに基づいて、前記印刷データを生成することを特徴とする請求項６に記載の印刷データ生成装置。
【請求項８】
前記表示部は、前記テープのプレビュー表示として、前記文字列画像のレイアウトを選択可能なレイアウト選択肢を表示し、
前記制御部は、選択された前記レイアウト選択肢に基づいて、前記印刷データを生成することを特徴とする請求項６または７に記載の印刷データ生成装置。
【請求項９】
入力された複数の文字列に対応する複数の文字列画像をテープの長さ方向に対し回転させる回転角度を、前記文字列画像ごとに設定するステップと、
前記文字列画像が設定された前記回転角度に回転した態様で前記テープに印刷されるように、印刷データを生成するステップと、
を備えたことを特徴とする印刷データ生成装置の印刷データ生成方法。
【請求項１０】
印刷データ生成装置のプロセッサーに、
入力された複数の文字列に対応する複数の文字列画像をテープの長さ方向に対し回転させる回転角度を、前記文字列画像ごとに設定するステップと、
前記文字列画像が設定された前記回転角度に回転した態様で前記テープに印刷されるように、印刷データを生成するステップと、
を実行させることを特徴とするプログラム。
【請求項１１】
印刷データ生成装置と、前記印刷データ生成装置と通信可能に接続されるテープ印刷装置と、を備え、
前記印刷データ生成装置は、
文字列の入力操作を受け付ける操作部と、
入力された複数の前記文字列に対応する複数の文字列画像をテープの長さ方向に対し回転させる回転角度を、前記文字列画像ごとに設定し、前記文字列画像が設定された前記回転角度に回転した態様で前記テープに印刷されるように、印刷データを生成する制御部と、
前記印刷データを前記テープ印刷装置に送信する送信部と、を有し、
前記テープ印刷装置は、
前記印刷データ生成装置から前記印刷データを受信する受信部と、
受信された前記印刷データに基づいて、前記テープに印刷を行う印刷部と、を有することを特徴とするテープ印刷システム。
【発明の詳細な説明】
【技術分野】
【０００１】
本発明は、テープ印刷のための印刷データを生成する印刷データ生成装置、印刷データ生成装置の印刷データ生成方法、プログラムおよびテープ印刷システムに関するものである。
【背景技術】
【０００２】
従来、特許文献１が開示するように、装飾性のあるラベルを得るために、入力された文字列が繰り返し配置されるように印刷データを作成する印刷データ作成装置が知られている。
【先行技術文献】
【特許文献】
【０００３】
【特許文献１】特開２００９−２３３８８４号公報
【発明の概要】
【発明が解決しようとする課題】
【０００４】
従来の印刷データ作成装置では、入力された文字列を任意に回転させることについては、考慮されていない。
【課題を解決するための手段】
【０００５】
本発明の印刷データ生成装置は、文字列の入力操作を受け付ける操作部と、入力された複数の文字列に対応する複数の文字列画像の回転角度を、文字列画像ごとに設定し、文字列画像が設定された回転角度に回転した態様でテープに印刷されるように、印刷データを生成する制御部と、を備えた。
【０００６】
本発明の印刷データ生成装置の印刷データ生成方法は、入力された複数の文字列に対応する複数の文字列画像の回転角度を、文字列画像ごとに設定するステップと、文字列画像が設定された回転角度に回転した態様でテープに印刷されるように、印刷データを生成するステップと、を備えた。
【０００７】
本発明のプログラムは、印刷データ生成装置のプロセッサーに、入力された複数の文字列に対応する複数の文字列画像の回転角度を、文字列画像ごとに設定するステップと、文字列画像が設定された回転角度に回転した態様でテープに印刷されるように、印刷データを生成するステップと、を実行させる。
【０００８】
本発明のテープ印刷システムは、印刷データ生成装置と、印刷データ生成装置と通信可能に接続されたテープ印刷装置と、を備え、印刷データ生成装置は、文字列の入力操作を受け付ける操作部と、入力された複数の文字列に対応する複数の文字列画像の回転角度を、複数の文字列画像ごとに設定し、文字列画像が設定された回転角度に回転した態様でテープに印刷されるように、印刷データを生成する制御部と、印刷データをテープ印刷装置に送信する送信部と、を有し、テープ印刷装置は、印刷データ生成装置から印刷データを受信する受信部と、受信された印刷データに基づいて、テープに印刷を行う印刷部と、を有する。
【図面の簡単な説明】
【０００９】
【図１】第１実施形態におけるテープ印刷システムの概略構成を示す図である。
【図２】テープ印刷装置およびパソコンの制御系を示すブロック図である。
【図３】入力編集画面を示す図である。
【図４】ブレビュー画面を示す図である。
【図５】印刷データ生成処理の流れを示すフローチャートである。
【図６】印刷されたテープを示す図である。
【図７】第２実施形態における入力編集画面を示す図である。
【図８】印刷されたテープを示す図である。
【図９】第３実施形態における入力編集画面を示す図である。
【図１０】外枠テーブルを示す図である。
【図１１】印刷されたテープを示す図である。
【図１２】第４実施形態におけるプレビュー画面を示す図である。
【図１３】印刷されたテープを示す図である。
【発明を実施するための形態】
【００１０】
（第１実施形態）
以下、添付の図面を参照して、印刷データ生成装置、印刷データ生成装置の印刷データ生成方法、プログラムおよびテープ印刷システムの実施形態について説明する。
【００１１】
図１に基づいて、テープ印刷システムＳｙの概略構成について説明する。テープ印刷システムＳｙは、テープ印刷装置１と、パソコン２０１とを備えている。テープ印刷装置１とパソコン２０１とは、通信可能に無線または有線で接続される。パソコン２０１は、印刷データを生成し、テープ印刷装置１は、パソコン２０１から受信した印刷データに基づいてテープ１０３に印刷を行う。なお、パソコン２０１は、本発明の「印刷データ生成装置」の一例である。
【００１２】
テープ印刷装置１には、テープカートリッジ１０１が着脱可能に装着される。テープカートリッジ１０１は、テープ１０３と、インクリボン１０５と、プラテンローラー１０７と、これらを収容したカートリッジケース１０９とを備えている。一方、テープ印刷装置１は、カートリッジ装着部３と、送りモーター５と、印刷ヘッド７と、カッター９と、カッターモーター１１とを備えている。
【００１３】
カートリッジ装着部３には、テープカートリッジ１０１が着脱可能に装着される。送りモーター５は、カートリッジ装着部３にテープカートリッジ１０１が装着された状態で、プラテンローラー１０７を回転させる駆動源である。プラテンローラー１０７が回転することにより、プラテンローラー１０７と印刷ヘッド７との間に挟持されたテープ１０３およびインクリボン１０５が送られる。なお、プラテンローラー１０７は、テープカートリッジ１０１に設けられた構成に限らず、テープ印刷装置１に設けられた構成でもよい。印刷ヘッド７は、複数の発熱素子が直線状、またはマトリクス状に配列されたサーマルヘッドであり、プラテンローラー１０７との間に挟持されたテープ１０３およびインクリボン１０５が送られる際に、パソコン２０１から受信された印刷データに基づいて発熱する。これにより、インクリボン１０５のインクがテープ１０３に転写され、印刷データに対応した画像がテープ１０３に印刷される。
【００１４】
カッター９は、カートリッジ装着部３とテープ排出口１３との間に設けられている。カッター９は、テープ１０３を切断する。カッターモーター１１は、カッター９を切断動作させる駆動源である。なお、１つのモーターを、送りモーター５およびカッターモーター１１として機能させてもよい。
【００１５】
パソコン２０１には、テープ印刷装置１に対応したアプリケーションソフトウェア（以下「対応ソフト」という。）がインストールされている。なお、対応ソフトは、本発明の「プログラム」の一例である。
【００１６】
パソコン２０１は、装置本体２０３と、キーボード２０５と、マウス２０７と、ディスプレー２０９とを備えている。装置本体２０３には、後述する生成側制御部２１１を構成する回路基板等が内蔵されている。キーボード２０５およびマウス２０７は、文字列等の入力操作、ディスプレー２０９に表示された選択肢の選択操作などを受け付ける。キーボード２０５およびマウス２０７は、本発明の「操作部」の一例である。なお、文字列を構成する文字には、平仮名、片仮名、漢字、数字、アルファベット、記号、絵文字などが含まれる。ディスプレー２０９は、入力された文字列、各種選択肢などを表示する。ディスプレー２０９は、本発明の「表示部」の一例である。パソコン２０１は、キーボード２０５およびマウス２０７が受け付けた操作に基づいて、印刷データを生成し、生成した印刷データを、テープ印刷装置１に送信する。
【００１７】
図２に基づいて、テープ印刷装置１およびパソコン２０１の制御系について説明する。テープ印刷装置１は、印刷側制御部１５と、印刷側インターフェース１７とを備えている。印刷側制御部１５は、印刷側ＣＰＵ１９（Central Processing Unit）と、印刷側ＲＯＭ２１（Read Only Memory）と、印刷側ＲＡＭ２３（Random Access Memory）とを備えている。印刷側ＣＰＵ１９は、印刷側ＲＯＭ２１に記憶されている各種プログラムを、印刷側ＲＡＭ２３を用いて実行することにより、各種処理を実行する。印刷側インターフェース１７は、後述する生成側インターフェース２１３との間で、各種コマンドや各種データを送受信する。印刷側インターフェース１７は、本発明の「受信部」の一例である。
【００１８】
パソコン２０１は、生成側制御部２１１と、生成側インターフェース２１３とを備えている。生成側制御部２１１は、生成側ＣＰＵ２１５と、生成側ＲＯＭ２１７と、生成側ＲＡＭ２１９と、ＨＤＤ２２１（Hard Disk Drive）とを備えている。ＨＤＤ２２１には、対応ソフトが記憶されている。生成側ＣＰＵ２１５は、生成側ＲＯＭ２１７やＨＤＤ２２１に記憶されている各種プログラムを、生成側ＲＡＭ２１９を用いて実行することにより、各種処理を実行する。なお、生成側制御部２１１は、本発明の「制御部」の一例である。生成側ＣＰＵ２１５は、本発明の「プロセッサー」の一例である。生成側インターフェース２１３は、印刷側インターフェース１７との間で、各種コマンドや各種データを送受信する。生成側インターフェース２１３は、本発明の「送信部」の一例である。
【００１９】
図３に基づいて、ディスプレー２０９に表示される入力編集画面２２３について説明する。入力編集画面２２３は、例えば、対応ソフトの起動後、所定の操作を行うことにより表示される。入力編集画面２２３には、文字入力欄２２５と、文字列回転選択欄２２７と、プレビューボタン２２９と、閉じるボタン２３１とが表示される。
【００２０】
文字入力欄２２５には、テープイメージ２３３と、印刷領域イメージ２３５と、テキストボックス２３７とが表示される。テープイメージ２３３は、印刷対象となるテープ１０３のイメージを示すものである。印刷領域イメージ２３５は、テープ１０３の印刷領域１１１（図６参照）のイメージを示すものである。テキストボックス２３７には、キーボード２０５から入力された文字が表示される。ユーザーは、複数のテキストボックス２３７にそれぞれ１または複数の文字を入力することで、複数の文字列を入力することができる。
【００２１】
文字列回転選択欄２２７は、入力された文字列に対応する文字列画像１１３（図６参照）を、回転させるか否かをユーザーが選択するためのものである。すなわち、文字列回転選択欄２２７において、「回転なし」が選択されると、文字列画像１１３が回転しない態様でテープ１０３に印刷され、「回転あり」が選択されると、文字列画像１１３が回転した態様でテープ１０３に印刷される。プレビューボタン２２９は、ディスプレー２０９にプレビュー画面２３９（図４参照）を表示させるためのものである。閉じるボタン２３１は、入力編集画面２２３を閉じるためのものである。
【００２２】
図４に基づいて、ディスプレー２０９に表示されるプレビュー画面２３９について説明する。プレビュー画面２３９には、プレビュー表示欄２４１と、印刷ボタン２４３と、キャンセルボタン２４５とが表示される。プレビュー表示欄２４１には、文字列画像１１３が印刷されたテープ１０３がプレビュー表示される。印刷ボタン２４３は、テープ印刷装置１に印刷処理を実行させるためのものである。キャンセルボタン２４５は、入力編集画面２２３に戻るためのものである。
【００２３】
図５に基づいて、プレビューボタン２２９が押された後に、生成側制御部２１１が実行する印刷データ生成処理の流れについて説明する。ここでは、入力編集画面２２３において、複数の文字列が入力され、文字列回転選択欄２２７にて「回転あり」が選択された状態で、プレビューボタン２２９が押されたものとする。
【００２４】
ステップＳ１において、生成側制御部２１１は、入力された複数の文字列に対応する複数の文字列画像１１３の回転角度を、文字列画像１１３ごとに、文字列画像１１３のサイズに応じて設定する。そのため、文字列画像１１３のサイズが異なるときには、文字列画像１１３の回転角度についても、異なる角度に設定される。なお、文字列画像１１３のサイズとは、テープ１０３の長さ方向における回転前の文字列画像１１３の寸法と、テープ１０３の幅方向における回転前の文字列画像１１３の寸法との少なくとも一方を意味する。文字列画像１１３のサイズは、文字の大きさ、文字数などに基づいて算出される。また、回転角度とは、テープ１０３の印刷面上において、文字列画像１１３内の文字の配列方向と、テープ１０３の長さ方向との間に形成される角度を指す。図６においては、θ１、θ２、およびθ３が、各文字列画像１１３の回転角度である。
【００２５】
ここで、文字列画像１１３の回転角度を文字列画像１１３のサイズに応じて設定するとは、例えば、図６に示した印刷後のテープ１０３のように、文字列画像１１３のサイズが大きいほど、文字列画像１１３の回転角度が小さくなるように設定することを意味する。このとき、生成側制御部２１１は、回転した文字列画像１１３の枠線がテープ１０３の印刷領域１１１の枠線と接しない範囲で、すなわち、長方形状の文字列画像１１３の枠線の４つの角部が印刷領域１１１の枠線と接しない範囲で、回転角度を設定する。なお、図６では、説明の便宜上、文字列画像１１３の枠線が二点短鎖線で表示されているが、実際には、文字列画像１１３の枠線がテープ１０３に印刷される必要はない。また、図６では、説明の便宜上、テープ１０３の印刷領域１１１の枠線が二点長鎖線で表示されているが、実際には、印刷領域１１１の枠線がテープ１０３に印刷される必要はない。後述する図８、図１１および図１３についても同様である。
【００２６】
なお、生成側制御部２１１は、回転角度を、回転した文字列画像１１３の画線部分が印刷領域１１１の枠線と接する、または交差するように設定する構成でもよい。この構成では、回転した文字列画像１１３の枠線が印刷領域１１１の枠線と接しない範囲で設定する構成に比べ、回転角度をより大きな値に設定することが可能である。
【００２７】
設定された回転角度は、生成側ＲＡＭ２１９に記憶される。回転角度は、文字列画像１１３の長さ方向がテープ１０３の長さ方向と平行になった状態から、文字列画像１１３が反時計回りに回転したときの角度を基準として、例えば、−１８０°から１８０°の範囲で設定される。なお、回転角度は、文字列画像１１３が時計回りに回転したときの角度を基準として設定される構成でもよい。
【００２８】
ステップＳ２において、生成側制御部２１１は、文字列画像１１３が設定された回転角度に回転した態様で印刷されたテープ１０３がプレビュー表示されるように、プレビュー画面２３９をディスプレー２０９に表示させる。このため、図４に示したように、プレビュー画面２３９には、文字列画像１１３が文字列画像１１３のサイズに応じた角度に回転した態様で印刷されたテープ１０３が、プレビュー表示される。このように、回転した文字列画像１１３が印刷されたテープ１０３がプレビュー表示されることにより、文字列画像１１３の回転角度を、印刷前にユーザーに確認させることができる。生成側制御部２１１は、プレビュー画面２３９において、印刷ボタン２４３が押されると、ステップＳ３に進む。
【００２９】
ステップＳ３において、生成側制御部２１１は、文字列画像１１３が設定された回転角度に回転した態様でテープ１０３に印刷されるように、印刷データを生成する。ステップＳ４において、生成側制御部２１１は、印刷データを含む印刷ジョブを、テープ印刷装置１に向けて生成側インターフェース２１３に送信させる。印刷ジョブを受信したテープ印刷装置１は、印刷ジョブに含まれる印刷データに基づいて印刷処理を実行する。
【００３０】
この結果、図６に示したように、文字列画像１１３が、文字列画像１１３のサイズに応じた回転角度に回転した態様で、テープ１０３に印刷される。すなわち、図６において、「ＡＢＣ」と表示された文字列画像１１３、「ＤＥＦＧＨ」と表示された文字列画像１１３、および「ＩＪＫＬＭＮＯ」と表示された文字列画像１１３の回転角度を、それぞれ、θ１、θ２およびθ３とすると、その大小関係はθ１＞θ２＞θ３であり、文字列画像１１３のサイズが大きいほど、文字列画像１１３の回転角度が小さくなっている。
【００３１】
このように、生成側制御部２１１は、文字列画像１１３の回転角度を、文字列画像１１３のサイズに応じて設定する。この構成によれば、複数の文字列画像１１３間で回転角度を異ならせることができ、装飾性の高いラベルを得ることができる。
【００３２】
また、生成側制御部２１１は、回転した文字列画像１１３の枠線がテープ１０３の印刷領域１１１の枠線と接しない範囲で、回転角度を設定する。この構成によれば、回転した文字列画像１１３が印刷領域１１１からはみ出すことが抑制される。そのため、回転した文字列画像１１３を、その一部が欠けないように、適切に印刷することができる。
【００３３】
また、ディスプレー２０９は、文字列画像１１３が印刷されたテープ１０３をプレビュー表示する。この構成によれば、文字列画像１１３がテープ１０３に印刷される前に、文字列画像１１３がどのように回転して印刷されるかを、ユーザーに確認させることができる。
【００３４】
なお、プレビュー画面２３９において、プレビュー表示されたテープ１０３上の文字列画像１１３のレイアウトを、例えばマウス２０７によりドラッグ操作することで、ユーザーが変更可能な構成でもよい。この場合、ステップＳ３において、生成側制御部２１１は、変更後のレイアウトに基づいて、印刷データを生成する。
【００３５】
このように、キーボード２０５およびマウス２０７は、プレビュー表示されたテープ１０３において文字列画像１１３のレイアウトを変更する操作を受け付ける。生成側制御部２１１は、変更後のレイアウトに基づいて、印刷データを生成する。この構成によれば、文字列画像１１３を、ユーザーの所望するレイアウトに調整された態様で、テープ１０３に印刷することができる。
【００３６】
（第２実施形態）
次に、第２実施形態について、第１実施形態との相違点を中心に説明する。第２実施形態では、文字列画像１１３の回転角度が、ユーザーにより入力された値に設定される。
【００３７】
図７に基づいて、第２実施形態の入力編集画面２２３について説明する。入力編集画面２２３では、文字列回転選択欄２２７に代えて、テキストボックス２３７ごとに回転角度入力ウィンドウ２４７が表示される。回転角度入力ウィンドウ２４７は、例えば、各テキストボックス２３７をマウス２０７でクリック等することにより、表示される。回転角度入力ウィンドウ２４７には、ユーザーが所望する回転角度である所望角度を、例えば、−１８０°から１８０°の範囲で、キーボード２０５等から入力可能である。
【００３８】
なお、生成側制御部２１１は、回転角度入力ウィンドウ２４７に入力された所望角度を回転角度として文字列画像１１３を回転させると、文字列画像１１３が印刷領域１１１に収まらず、印刷領域１１１からはみ出るような場合には、その旨を回転角度入力ウィンドウ２４７等に表示させてもよい。また、生成側制御部２１１は、文字列画像１１３が印刷領域１１１に収まる回転角度の範囲を、回転角度入力ウィンドウ２４７等に表示させてもよい。
【００３９】
生成側制御部２１１は、印刷データ生成処理のステップＳ１において、複数の文字列画像１１３の回転角度を、文字列画像１１３ごとに、入力された所望角度に基づいて設定する。このため、図示省略したが、ステップＳ２において表示されるプレビュー画面２３９には、文字列画像１１３が入力された所望角度に応じた回転角度に回転した態様で印刷されたテープ１０３が、プレビュー表示される。
【００４０】
続いて、ステップＳ４において印刷ジョブ送信され、テープ印刷装置１が印刷処理を実行すると、文字列画像１１３が、入力された所望角度に応じた回転角度に回転した態様で、テープ１０３に印刷される。図８は、回転角度入力ウィンドウ２４７において、「ＡＢＣ」と表示された文字列画像１１３の所望角度として３０°が入力され、「ＤＥＦＧＨ」と表示された文字列画像１１３の回転角度として−５°が入力され、「ＩＪＫＬＭＮＯ」と表示された文字列画像１１３の回転角度として１０°が入力された場合に、印刷されたテープ１０３を示している。
【００４１】
このように、キーボード２０５およびマウス２０７は、文字列画像１１３ごとに、ユーザーが所望する回転角度である所望角度の入力操作を受け付ける。生成側制御部２１１は、文字列画像１１３の回転角度を、入力された所望角度に基づいて設定する。この構成によれば、文字列画像１１３をユーザーが所望する回転角度に回転させることができ、装飾性の高いラベルを得ることができる。
【００４２】
（第３実施形態）
次に、第３実施形態について、第１実施形態との相違点を中心に説明する。第３実施形態では、文字列画像１１３の回転角度が、外枠画像１１５の種類に応じて設定される。ここで、外枠画像１１５とは、図１１に示すように、文字列画像１１３の外枠となる画像のことである。
【００４３】
図９に基づいて、第３実施形態の入力編集画面２２３について説明する。入力編集画面２２３には、所定の操作を行うことで外枠選択ウィンドウ２４９が表示される。外枠選択ウィンドウ２４９には、複数の外枠選択肢２５１が表示される。ユーザーは、キーボード２０５またはマウス２０７を操作することにより、複数の外枠選択肢２５１のなかから一の外枠選択肢２５１を選択することができる。
【００４４】
また、入力編集画面２２３において、ユーザーは、１つのテキストボックス２３７に対して、例えばスペースを区切りとして文字を入力することで、複数の文字列を入力することができる。例えば、ユーザーは、第１文字列「ＨＡＰＰＹ」、第２文字列「ＢＩＲＴＨＤＡＹ」、第３文字列「ＫＥＮ」および第４文字列「（絵文字：ケーキ）」から成る４つの文字列を入力するとき、１つのテキストボックス２３７に対して、「ＨＡＰＰＹ  ＢＩＲＴＨＤＡＹ  ＫＥＮ  （絵文字：ケーキ）」と入力すればよい。ここでは、各文字列の間にスペースを入力することにより、各文字列間の区切りを識別しているが、スラッシュを２回入力するなど、他の入力方法により、各文字列間の区切りを識別してもよい。なお、第１実施形態と同様に、ユーザーは、複数のテキストボックス２３７に文字を入力することにより、複数の文字列を入力してもよい。
【００４５】
図１０に基づいて、外枠テーブル２５３について説明する。外枠テーブル２５３には、外枠画像１１５の種類と、文字列画像１１３ごとの回転角度とが関連付けられている。外枠テーブル２５３における「第１文字列画像」とは、第１文字列に対応する文字列画像１１３のことである。「第２文字列画像」、「第３文字列画像」および「第４文字列画像」についても、同様である。なお、図１０に示した外枠テーブル２５３では、「第１文字列画像」から「第４文字列画像」までの４つの文字列画像１１３について、回転角度が設定されているが、その個数は特に限定されるものではない。
【００４６】
生成側制御部２１１は、印刷データ生成処理のステップＳ１において、複数の文字列画像１１３の回転角度を、文字列画像１１３ごとに、選択された外枠選択肢２５１に基づいて設定する。すなわち、生成側制御部２１１は、外枠テーブル２５３を参照し、複数の文字列画像１１３の回転角度を、文字列画像１１３ごとに、選択された外枠選択肢２５１と関連付けられた回転角度に設定する。このため、図示省略したが、ステップＳ２において表示されるプレビュー画面２３９には、文字列画像１１３が選択された外枠選択肢２５１に応じた回転角度に回転した態様で印刷されたテープ１０３が、プレビュー表示される。
【００４７】
続いて、ステップＳ４において印刷ジョブが送信され、テープ印刷装置１が印刷処理を実行すると、図１１に示したように、文字列画像１１３が、選択された外枠選択肢２５１に応じた回転角度に回転した態様で、テープ１０３に印刷される。
【００４８】
このように、ディスプレー２０９は、文字列画像１１３の外枠となる外枠画像１１５をユーザーが選択可能な外枠選択肢２５１を表示する。生成側制御部２１１は、文字列画像１１３の回転角度を、選択された外枠選択肢２５１に基づいて設定する。この構成によれば、文字列画像１１３を外枠画像１１５のデザインに適した回転角度に回転させることができ、装飾性の高いラベルを得ることができる。なお、生成側制御部２１１は、回転した文字列画像１１３が外枠画像１１５からはみ出さないように、例えば、文字サイズを小さくする、文字列の途中で改行する、文字間隔を小さくする、などの処理を行ってもよい。
【００４９】
なお、生成側制御部２１１は、文字列画像１１３に代えて、或いは、文字列画像１１３と共に、外枠画像１１５が回転した態様でテープ１０３に印刷されるように、印刷データを生成する構成でもよい。
【００５０】
（第４実施形態）
次に、第４実施形態について、第１実施形態との相違点を中心に説明する。生成側制御部２１１は、印刷データ生成処理のステップＳ２において、図１２に示すように、プレビュー画面２３９に、印刷されたテープ１０３のプレビュー表示として、文字列画像１１３のレイアウトが異なる複数のレイアウト選択肢２５５を表示させる。生成側制御部２１１は、レイアウト選択肢２５５が選択され、印刷ボタン２４３が押されると、ステップＳ３に進み、選択されたレイアウト選択肢２５５に基づいて、印刷データを生成する。なお、ユーザーが、レイアウト選択肢２５５を選択した後、一部、または全ての文字列画像１１３の回転角度やレイアウトを修正できるようにしてもよい。また、２つ以上の文字列画像１１３の枠線同士が重なるようにレイアウトを修正できるようにしてもよい。
【００５１】
続いて、ステップＳ４において印刷ジョブが送信され、テープ印刷装置１が印刷処理を実行すると、図１３に示したように、文字列画像１１３が、選択されたレイアウト選択肢２５５に応じてレイアウトされた態様で、テープ１０３に印刷される。
【００５２】
このように、ディスプレー２０９は、テープ１０３のプレビュー表示として、文字列画像１１３のレイアウトを選択可能なレイアウト選択肢２５５を表示する。生成側制御部２１１は、選択されたレイアウト選択肢２５５に基づいて、印刷データを生成する。この構成によれば、回転した文字列画像１１３を、ユーザーが所望するレイアウトで印刷することができ、装飾性の高いラベルを得ることができる。
【００５３】
以上のように、第１実施形態ないし第４実施形態のパソコン２０１によれば、キーボード２０５およびマウス２０７と、生成側制御部２１１とを備えている。キーボード２０５およびマウス２０７は、文字列の入力操作を受け付ける。生成側制御部２１１は、入力された複数の文字列に対応する複数の文字列画像１１３の回転角度を、文字列画像１１３ごとに設定する。また、生成側制御部２１１は、文字列画像１１３が設定された回転角度に回転した態様でテープ１０３に印刷されるように、印刷データを生成する。
【００５４】
また、第１実施形態ないし第４実施形態のテープ印刷システムＳｙによれば、パソコン２０１と、テープ印刷装置１とを備えている。パソコン２０１は、生成側インターフェース２１３を備えている。生成側インターフェース２１３は、印刷データをテープ印刷装置１に送信する。テープ印刷装置１は、印刷側インターフェース１７と、印刷ヘッド７とを備えている。印刷側インターフェース１７は、パソコン２０１から印刷データを受信する。印刷ヘッド７は、受信された印刷データに基づいて、テープ１０３に印刷を行う。
【００５５】
これらの構成によれば、文字列画像１１３が、文字列画像１１３ごとに設定された回転角度に回転した態様で、テープ１０３に印刷される。このため、複数の文字列画像１１３の回転角度が一律に設定される構成に比べ、装飾性の高いラベルを作成することができる。
【００５６】
（その他の変形例）
本発明は、上記の実施形態に限定されず、その趣旨を逸脱しない範囲で種々の構成を採用可能であることは言うまでもない。例えば、上記の実施形態は、上述したほか、以下のような形態に変更することができる。
【００５７】
本発明の「印刷データ生成装置」は、パソコン２０１に限定されず、例えば、スマートフォン、タブレット端末などの情報処理端末でもよい。この場合、例えば、タッチセンサー付きのディスプレーを、本発明の「表示部」および「操作部」として機能させてもよい。また、キーボードなどの操作部を備えたテープ印刷装置１を、「印刷データ生成装置」として機能させてもよい。
【００５８】
本発明の「印刷部」は、印刷ヘッド７のようなサーマル式のものに限定されず、例えば、インクジェット方式、電子写真方式など、他の印刷方式のものでもよい。
【００５９】
本発明の「プログラム」を、コンピューターで読取り可能な記憶媒体に格納して提供してもよい。記憶媒体としては、例えば、ＣＤ−ＲＯＭ、フラッシュメモリー等を用いることができる。
【符号の説明】
【００６０】
１０３…テープ、１１１…印刷領域、１１３…文字列画像、θ１、θ２、θ３…回転角度。
【図１】
2020004165.tif 000003
【図２】
2020004165.tif 000004
【図３】
2020004165.tif 000005
【図４】
2020004165.tif 000006
【図５】
2020004165.tif 000007
【図６】
2020004165.tif 000008
【図７】
2020004165.tif 000009
【図８】
2020004165.tif 000010
【図９】
2020004165.tif 000011
【図１０】
2020004165.tif 000012
【図１１】
2020004165.tif 000013
【図１２】
2020004165.tif 000014
【図１３】
2020004165.tif 000015